【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
画像情報を記憶する画像情報記憶手段と、
この画像情報記憶手段に記憶された前記画像情報を表示する画像情報表示手段と、
前記画像情報表示手段に抽出可能な複数の部分画像情報の領域を表示する領域表示手段と、
この領域表示手段によって表示された複数の領域から複数の領域を選択する領域選択手段と、
前記領域選択手段によって選択された複数の領域の部分画像情報を抽出する部分画像抽出手段と、
この部分画像情報抽出手段によって抽出された前記複数の部分画像情報を記憶する部分画像情報記憶手段と
を具備したことを特徴とする画像処理装置。
【請求項２】
画像情報を記憶する画像情報記憶手段と、この画像情報記憶手段に記憶された前記画像情報を表示する画像情報表示手段と、この画像情報表示手段に表示された画像情報から複数の部分画像情報を抽出する部分画像情報抽出手段と、この部分画像情報抽出手段によって抽出された前記複数の部分画像情報それぞれを異なった識別情報に対応させて記憶する部分画像情報記憶手段とを具備したことを特徴とする画像処理装置。
【請求項３】
前記部分画像情報抽出手段は、前記画像情報表示手段に表示された画像情報を予め定められた数の部分画像情報に分割して抽出する分割手段を具備していることを特徴とする請求項２に記載の画像処理装置。
【請求項４】
更に、前記分割手段によって分割される部分画像情報の数を変更設定する数変更設定手段を具備したことを特徴とする請求項３に記載の画像処理装置。
【請求項５】
前記部分画像情報抽出手段は、前記画像情報表示手段に表示された画像情報からそれぞれサイズの異なる部分画像情報を複数抽出することを特徴とする請求項２に記載の画像処理装置。
【請求項６】
前記部分画像情報抽出手段は、抽出される複数の部分画像情報のサイズもしくは位置を変更設定するサイズ変更設定手段もしくは位置変更設定手段を具備したことを特徴とする請求項２又は５に記載の画像処理装置。
【請求項７】
更に、前記画像情報表示手段に抽出可能な複数の部分画像情報の領域を表示する領域表示手段と、この領域表示手段によって表示された複数の領域のうち前記部分画像情報抽出手段によって抽出させる領域を選択する領域選択手段とを具備したことを特徴とする請求項２乃至６のいずれかに記載の画像処理装置。
【請求項８】
前記領域表示手段は、抽出可能な複数の部分画像情報の領域を重複させて表示することを特徴とする請求項１に記載の画像処理装置。
【請求項９】
前記部分画像情報抽出手段によって抽出される部分画像情報は、少なくともＶＧＡサイズの部分画像情報を含むことを特徴とする請求項１又は８に記載の画像処理装置。
【請求項１０】
更に、前記領域表示手段によって表示される複数の領域の位置を変更設定する変更設定手段を具備したことを特徴とする請求項１、８または９に記載の画像処理装置。
【請求項１１】
更に、前記部分画像情報抽出手段によって抽出された部分画像情報をそれぞれファイル化して前記部分画像情報記憶手段に記憶させるファイル化手段を具備したことを特徴とする請求項１乃至１０のいずれかに記載の画像処理装置。
【請求項１２】
更に、被写体を撮影して画像情報を得る撮像手段を備え、前記画像情報記憶手段に記憶された画像情報は前記撮像手段によって撮影された画像情報であることを特徴とする請求項１乃至１１のいずれかに記載の画像処理装置。
【請求項１３】
コンピュータに、
画像情報を記憶する画像情報記憶する機能と、
この画像情報記憶手段に記憶された前記画像情報を表示する画像情報表示機能と、
この画像情報表示手段に表示された画像情報から複数の部分画像情報を抽出する部分画像情報抽出する機能と、
この部分画像情報抽出によって抽出された前記複数の部分画像情報それぞれを異なった識別情報に対応させて記憶する部分画像情報記憶する機能と、
を実現させるためのプログラム。
【手続補正２】
【補正対象書類名】明細書
【補正対象項目名】０００５
【補正方法】変更
【補正の内容】
【０００５】
本発明の請求項１の画像処理装置は、画像情報を記憶する画像情報記憶手段と、この画像情報記憶手段に記憶された前記画像情報を表示する画像情報表示手段と、前記画像情報表示手段に抽出可能な複数の部分画像情報の領域を表示する領域表示手段と、この領域表示手段によって表示された複数の領域から複数の領域を選択する領域選択手段と、前記領域選択手段によって選択された複数の領域の部分画像情報を抽出する部分画像抽出手段と、この部分画像情報抽出手段によって抽出された前記複数の部分画像情報を記憶する部分画像情報記憶手段とを具備したことを特徴とする。
【手続補正３】
【補正対象書類名】明細書
【補正対象項目名】０００６
【補正方法】変更
【補正の内容】
【０００６】
請求項２の画像処理装置は、画像情報を記憶する画像情報記憶手段と、この画像情報記憶手段に記憶された前記画像情報を表示する画像情報表示手段と、この画像情報表示手段に表示された画像情報から複数の部分画像情報を抽出する部分画像情報抽出手段と、この部分画像情報抽出手段によって抽出された前記複数の部分画像情報それぞれを異なった識別情報に対応させて記憶する部分画像情報記憶手段とを具備したことを特徴とする。
【手続補正４】
【補正対象書類名】明細書
【補正対象項目名】０００７
【補正方法】変更
【補正の内容】
【０００７】
請求項３の画像処理装置は、前記部分画像情報抽出手段は、前記画像情報表示手段に表示された画像情報を予め定められた数の部分画像情報に分割して抽出する分割手段を具備していることを特徴とする。
【手続補正５】
【補正対象書類名】明細書
【補正対象項目名】０００８
【補正方法】変更
【補正の内容】
【０００８】
請求項４の画像処理装置は、更に、前記分割手段によって分割される部分画像情報の数を変更設定する数変更設定手段を具備したことを特徴とする。
【手続補正６】
【補正対象書類名】明細書
【補正対象項目名】０００９
【補正方法】変更
【補正の内容】
【０００９】
請求項５の画像処理装置は、前記部分画像情報抽出手段は、前記画像情報表示手段に表示された画像情報からそれぞれサイズの異なる部分画像情報を複数抽出することを特徴とする。
【手続補正７】
【補正対象書類名】明細書
【補正対象項目名】００１０
【補正方法】変更
【補正の内容】
【００１０】
請求項６の画像処理装置は、前記部分画像情報抽出手段は、抽出される複数の部分画像情報のサイズもしくは位置を変更設定するサイズ変更設定手段もしくは位置変更設定手段を具備したことを特徴とする。
【手続補正８】
【補正対象書類名】明細書
【補正対象項目名】００１１
【補正方法】変更
【補正の内容】
【００１１】
請求項７の画像処理装置は、更に、前記画像情報表示手段に抽出可能な複数の部分画像情報の領域を表示する領域表示手段と、この領域表示手段によって表示された複数の領域のうち前記部分画像情報抽出手段によって抽出させる領域を選択する領域選択手段とを具備したことを特徴とする。
【手続補正９】
【補正対象書類名】明細書
【補正対象項目名】００１２
【補正方法】変更
【補正の内容】
【００１２】
請求項８の画像処理装置は、前記領域表示手段は、抽出可能な複数の部分画像情報の領域を重複させて表示することを特徴とする。
【手続補正１０】
【補正対象書類名】明細書
【補正対象項目名】００１３
【補正方法】変更
【補正の内容】
【００１３】
請求項９の画像処理装置は、前記部分画像情報抽出手段によって抽出される部分画像情報は、少なくともＶＧＡサイズの部分画像情報を含むことを特徴とする。
【手続補正１１】
【補正対象書類名】明細書
【補正対象項目名】００１４
【補正方法】変更
【補正の内容】
【００１４】
請求項１０の画像処理装置は、更に、前記領域表示手段によって表示される複数の領域の位置を変更設定する変更設定手段を具備したことを特徴とする。
【手続補正１２】
【補正対象書類名】明細書
【補正対象項目名】００１５
【補正方法】変更
【補正の内容】
【００１５】
請求項１１の画像処理装置は、更に、前記部分画像情報抽出手段によって抽出された部分画像情報をそれぞれファイル化して前記部分画像情報記憶手段に記憶させるファイル化手段を具備したことを特徴とする。